(57)【要約】      （修正有）【課題】携帯端末の記憶部に保存されたプログラムや画像や音声等のデータを赤外線データ送信機能により液晶時計へ送信し、そのデータを液晶時計で受信し、表示させる液晶時計のダウンロードシステムを提供する。【解決手段】携帯端末においては、編集プログラムの中に保存された又は携帯端末の記憶部に保存された画像等のデータを表示部に表示して、所望する背景デザインの選択を促す手段と、前記編集プログラムを用いて、液晶時計の液晶表示部に表示する時刻等の表示形式をアナログ表示及び／又はデジタル表示の別を表示して、所望する表示形式の選択を促す手段と、西暦・和暦・月・日・時間・分・秒・曜日等の表示項目を表示して、その表示項目の中から液晶時計の液晶表示部に表示することを所望する項目の選択を促す手段と、前記編集プログラムを用いて編集処理されたデータを赤外線データ送信手段により液晶時計に送信する手段とを備える。【選択図】  図６
2004226279.tif 000002
【特許請求の範囲】
【請求項１】
赤外線送信部を有する携帯端末より、赤外線受信部を有する液晶時計へ赤外線データ通信によりデータを送信する液晶時計のダウンロードシステムであって、
携帯端末においては、編集プラグロムを用いて、編集プログラムの中に保存された又は携帯端末の記憶部に保存された画像等のデータを表示部に表示して、所望する背景デザインの選択を促す手段と、
前記編集プログラムを用いて、液晶時計の液晶表示部に表示する時刻等の表示形式をアナログ表示及び／又はデジタル表示の別を表示して、所望する表示形式の選択を促す手段と、
前記編集プログラムを用いて、西暦・和暦・月・日・時間・分・秒・曜日等の表示項目を表示して、その表示項目の中から液晶時計の液晶表示部に表示することを所望する項目の選択を促す手段と、
前記編集プログラムを用いて編集処理されたデータを赤外線データ送信手段により液晶時計に送信する手段と、
を備えることを特徴とする液晶時計のダウンロードシステム。
【請求項２】
請求項１に記載の液晶時計のダウンロードシステムにおいて、
前記赤外線データ送信手段の前に、前記編集処理されたデータをバイナリーデータからテキストデータへ変換するデータ変換手段を備えることを特徴とする液晶時計のダウンロードシステム。
【請求項３】
請求項１又は２に記載の液晶時計のダウンロードシステムにおいて、
前記赤外線データ送信手段により送信されたデータを受信した液晶時計は、その受信したデータをテキストデータから変換される前のバイナリーデータへ再変換するデータ再変換手段を備えることを特徴とする液晶時計のダウンロードシステム。
【請求項４】
請求項１乃至３に記載の液晶時計のダウンロードシステムにおいて、
前記編集プログラムは、前記携帯端末の通信機能を用いてインターネットに接続されたコンテンツ配信サーバーからダウンロードしたものであることを特徴とする液晶時計のダウンロードシステム。
【発明の詳細な説明】
【０００１】
【発明の属する技術分野】
本発明は、液晶時計のダウンロードシステムに関するものであり、特に、携帯電話等の携帯端末から赤外線データ送信によりプログラムや画像や音声等のデータを受信し、液晶時計の液晶表示部へ表示するダウンロードシステムに関する。
【０００２】
【従来の技術】
従来、赤外線データ伝送を行なう装置として、遠隔操作用のリモートコントローラとテレビジョン受信機等の機器との間や、汎用小型コンピュータ間や、汎用コンピュータとプリンタとの間等、各種データ処理装置間において、赤外線をデータ通信媒体に用いている例が周知であり（例えば、特開平１０−５６４２７号「赤外線データ通信装置」等）、近年では、小型化が進んでいる携帯電話機や携帯データ端末等の間での赤外線データ通信装置等が考えられている（例えば、特開平２０００−１１５０７９号「赤外線データ通信装置及びその方法」等）。
【０００３】
また、最近では、携帯電話機間での赤外線データ送受信を行なうための機能を有する携帯電話機が製造されている。
【０００４】
この携帯電話機間の赤外線データ送受信が可能になったことで、今後、カメラの機能を有する携帯電話機等で撮影した画像を、友人や家族等の携帯電話機へ赤外線データ送信機能を用いて送信したりすることが考えられる。
【０００５】
【発明が解決しようとする課題】
以上のような状況において、赤外線データ送受信機能を有するカメラ付携帯端末を所有する者は、自分が撮影した映像を自携帯端末の表示画面で自己が見たい時に見たり、その映像をプリンタで印刷したり、赤外線データ送信機能を用いて友人や家族等の携帯端末へ送信したりして楽しんでいるのが一般的であったが、例えば、この映像を自己の所有する液晶表示部を有する腕時計に表示することができれば、様々なデザインを液晶表示部に表示することが可能となり、利用者は、バリエーション豊かなオリジナルの文字盤デザイン等を携帯端末上で作成・編集し、そのデータを腕時計に送信し、その腕時計の表示部に表示させて楽しむことができる。
【０００６】
本発明は、上述のような実情に鑑みてなされたものであり、携帯端末の記憶部に保存されたプログラムや画像や音声等のデータを赤外線データ送信機能により液晶時計へ送信し、そのデータを液晶時計で受信し、その液晶表示部に表示させ楽しむことができる液晶時計のダウンロードシステムを提供することを目的とする。
【０００７】
【課題を解決するための手段】
本発明は上記目的を達成するため、請求項１に記載の発明は、赤外線送信部を有する携帯端末より、赤外線受信部を有する液晶時計へ赤外線データ通信によりデータを送信する液晶時計のダウンロードシステムであって、携帯端末においては、編集プラグロムを用いて、編集プログラムの中に保存された又は携帯端末の記憶部に保存された画像等のデータを表示部に表示して、所望する背景デザインの選択を促す手段と、前記編集プログラムを用いて、液晶時計の液晶表示部に表示する時刻等の表示形式をアナログ表示及び／又はデジタル表示の別を表示して、所望する表示形式の選択を促す手段と、前記編集プログラムを用いて、西暦・和暦・月・日・時間・分・秒・曜日等の表示項目を表示して、その表示項目の中から液晶時計の液晶表示部に表示することを所望する項目の選択を促す手段と、前記編集プログラムを用いて編集処理されたデータを赤外線データ送信手段により液晶時計に送信する手段と、を備えることを特徴とする。
【０００８】
請求項２に記載の発明は、前記赤外線データ送信手段の前に、前記編集処理されたデータをバイナリーデータからテキストデータへ変換するデータ変換手段を備えることを特徴とする。
【０００９】
請求項３に記載の発明は、前記赤外線データ送信手段により送信されたデータを受信した液晶時計は、その受信したデータをテキストデータから変換される前のバイナリーデータへ再変換するデータ再変換手段を備えることを特徴とする。
【００１０】
請求項４に記載の発明は、前記編集プログラムは、前記携帯端末の通信機能を用いてインターネットに接続されたコンテンツ配信サーバーからダウンロードしたものであることを特徴とする。
【００１１】
【発明の実施の形態】
本発明に係る実施の形態を図１に基づき以下に説明する。図１は、本実施の形態の液晶時計のダウンロードシステムのイメージ図である。図１中、１０は携帯端末の一種である携帯電話であり、１１は携帯電話１０と液晶時計２０とを操作する利用者であり、２０は液晶時計であり、３０はコンテンツ配信サーバーである。携帯電話１０とコンテンツ配信サーバー３０とはインターネットを介したデータ通信が可能であり、利用者１１の操作により携帯電話１０はコンテンツ配信サーバー３０にアクセスし、コンテンツ配信サーバー３０がインターネット上で提供する液晶時計の液晶表示部に表示する各種デザイン等を編集する際に用いる編集プログラムを携帯電話１０にダウンロードし、携帯電話の記憶部に保存することが可能である。
【００１２】
また、携帯電話１０と液晶時計２０とは赤外線データ通信が可能であり、利用者１１の操作により携帯電話１０の赤外線データ送信部より液晶時計２０の赤外線データ受信部へ赤外線データ通信により携帯電話１０の記憶部に保存されたデータを送信することが可能である。
【００１３】
なお、携帯端末は、静止画及び／又は動画の画像データ、音声データ、文字データ、プログラムデータ等を一時的に保存可能であって、これらのデータを赤外線データ通信で、送信できるものであれば良いが、本実施の形態では、カメラ機能を有する携帯電話に基づいて説明を行う。
【００１４】
ここで、カメラ機能を有する携帯電話の構成について、図２の概略ブロック図に基づいて説明する。携帯電話１０は、携帯電話１０の全体を制御する制御部１０１と、テンキーや各種入力キーなどからなる入力部１０２と、無線通信・基地局を介した通信などを行う通信部１０３と、各種プログラムや画像データや音声データや文字データなどを記憶する記憶部１０４と、各種情報を表示する表示部１０５と、受信した音声等を出力するスピーカー１０６と、音声等を入力するするマイク１０７と、携帯電話１０の各部に電源を供給するためのバッテリー１０８と、映像を撮影するカメラ１０９と、各種プログラムや画像や音声や文字等のデータを送信可能な赤外線データ送信部１１０とを備えている。
【００１５】
入力部１０２には、前記のキー以外に任意の形状の操作レバーやダイヤル等を用いても良い。また、表示部１０５には、カラー液晶ディスプレイを用いるのが望ましい。カメラ１０９は、小型のＣＣＤカメラを用いるのが望ましい。更に、赤外線データ送信部１１０の代わりに、各種プログラムや画像や音声や文字等のデータを送受信可能な赤外線データ送受信部を用いても良い。
【００１６】
次に、液晶時計２０の構成について、図３の概略ブロック図に基づいて説明する。液晶時計２０は、液晶時計２０の全体を制御する制御部２０１と、カラー液晶パネル等の液晶表示部２０２と、日時等のカレンダー情報や液晶表示部２０２に表示する背景デザイン等を含む画像デザイン情報やアラーム音等のメロディー情報や表示画像・アラーム曲等の各種設定情報等のデータを保存・蓄積している記憶部２０３と、設定ボタンなどからなる入力部２０４と、赤外線データ通信によりプログラム・画像・音声・文字等の各種データを受信可能な赤外線データ受信部２０５と、音声等を出力するスピーカー２０６と、液晶時計２０の各部に電源を供給するためのバッテリー２０７と、赤外線データ受信部２０５で受信したテキスト形式のデータをそのデータのもともとの保存形式を判別し、判別した保存形式に変換処理するデータ再変換処理部２０８とを備えている。
【００１７】
液晶表示部２０２は、カラー液晶パネルに限らず、モノクロのディスプレイを用いても良い。また、入力部２０４には、前記設定ボタン以外に任意の形状の操作レバーやダイヤル等を用いても良い。更に、赤外線データ受信部２０５の代わりに、各種プログラムや画像や音声や文字等のデータを送受信可能な赤外線データ送受信部を用いても良い。バッテリー２０７には、周知のソーラー充電システム（ソーラーバッテリー）等を適宜用いても良い。また、上述した構成の他、適宜必要な機能（例えば、電波により標準時刻データを受信し時刻を自動修正するための電波受信用アンテナを装備する等）を付加しても良い。
【００１８】
また、データ再変換処理部２０８が行なうデータ再変換処理は、例えば、携帯電話１０より送信されたテキスト形式のデータが、その携帯電話のカメラ機能を用いて撮影した写真に関する画像データである場合には、液晶時計のデータ再変換処理部２０８は、先ず、受信したデータのもともとの保存形式（例えば、ＪＰＥＧ形式）を判別し、その後、そのデータを判別した保存形式であるＪＰＥＧ（ｊｏｉｎｔ  ｐｈｏｔｏｇｒａｐｈｉｃ  ｅｘｐｅｒｔｓ  ｇｒｏｕｐ）形式に変換する処理を行なう。そしてデータ再変換処理後の形式で記憶部に保存され、また、液晶表示部２０２に表示される。
【００１９】
そして、液晶時計の記憶部２０３には、図４に示すような日時（西暦・月・日・時間・分・秒・曜日・祝日等）・デザイン（液晶表示部のレイアウト・背景画像等）・メロディー（アラーム音等）・設定（表示画像関連・アラーム関連等）等のデータを保存・蓄積したデータベース（ＤＢ）が構築されている。
【００２０】
各データベースのデータは、例えば、デザインデータベースの場合には、図５に示すようにデザイン番号欄・日時欄・タイトル欄・サイズ欄・ファイルの種類欄・レイアウト欄・画像データ欄等の各データフィールドを有した構造となっている。
【００２１】
液晶時計２０の用途・形状等は、特に制限されず、主に腕時計が用いられるが、その他の使用用途・使用形態の時計（懐中時計・壁掛時計・置き時計・目覚し時計等）を用いても良く、液晶表示部の形状に関しても、主に円形のものが用いられるが、その他の形状（四角形・楕円形・三角形等）のものを用いても良い。
【００２２】
図６は、本実施例に係る液晶時計のダウンロードシステムの主要な流れを示した図であり、この図に基づいて概略を説明する。
【００２３】
先ず、利用者１１は、携帯電話の入力部１０２を操作し、コンテンツ配信サーバー３０のＵＲＬ（ｕｎｉｆｏｒｍ  ｒｅｓｏｕｒｃｅ  ｌｏｃａｔｏｒ）の入力を行なう（ステップＳ５０）。
【００２４】
次に、利用者１１は、ＵＲＬの入力を行なった携帯電話１０をその携帯電話の通信機能を用いて公衆回線網等のネットワーク（例えば、インターネット）等を介してステップＳ５０にて入力を行なったＵＲＬのコンテンツ配信サーバー３０へ接続する（ステップＳ５１）。
【００２５】
携帯電話１０よりアクセスされたコンテンツ配信サーバー３０は、携帯電話の表示部１０５に接続がなされた旨のメッセージ（例えば、「アクセス有難うございます。」）と共に、利用者１１の所有する液晶時計２０のシリアルナンバー（Ｓ／Ｎ）とＩＤナンバー（ＩＤ）との入力を要求する旨のメッセージ（例えば、「所有する液晶時計のシリアルナンバー（Ｓ／Ｎ）とＩＤナンバー（ＩＤ）を入力してください。」）を含むＳ／Ｎ・ＩＤ入力要求画面（Ｗｅｂページ）を表示する（ステップＳ５２）。
【００２６】
この液晶時計２０のシリアルナンバー（Ｓ／Ｎ）とは、液晶時計のメーカーやモデル等を判別可能な１桁または複数桁のユニークなアルファベットや数字と、その液晶時計の製造番号（メーカーやモデル毎の製造番号でも良い。）を示す複数桁の数字とにより構成されるナンバーを指す。
【００２７】
また、ＩＤナンバー（ＩＤ）とは、複数桁のユニークなアルファベットや数字により構成されるナンバーであり、固定のナンバーとしても良いし、利用者により変更が可能なナンバーとしても良い。
【００２８】
そこで、利用者１１は、携帯電話の表示部１０５に表示されたコンテンツ配信サーバー３０のＷｅｂページのシリアルナンバー入力欄とＩＤナンバー入力欄に、液晶時計のシリアルナンバーとＩＤナンバーをそれぞれ入力し、その後、同じ画面に表示された入力確認ボタンを押す（ステップＳ５３）。
【００２９】
すると、コンテンツ配信サーバー３０は、携帯電話の表示部１０５に液晶時計の液晶表示部２０２に表示される文字盤等のデザイン編集やその他の設定を行なうためのプログラムのダウンロードを実行する旨の要求を行なうためのダウンロード実行ボタンを備えたダウンロード実行画面（Ｗｅｂページ）を表示する（ステップＳ５４）。
【００３０】
ステップＳ５２のコンテンツ配信サーバー３０によるシリアルナンバー（Ｓ／Ｎ）とＩＤナンバー（ＩＤ）の入力要求画面の表示と、ステップＳ５３の携帯電話１０からのシリアルナンバー（Ｓ／Ｎ）とＩＤナンバー（ＩＤ）の入力処理とを省略し、ステップＳ５１のコンテンツ配信サーバー３０への接続の後に、ステップＳ５４のダウンロード実行画面を表示する構成を用いても良い。
【００３１】
そこで、利用者１１が、携帯電話の表示部１０５に表示されたダウンロード実行画面のダウンロード実行ボタンを押す（ステップＳ５５）と、コンテンツ配信サーバー３０は、ダウンロード実行ボタンが押されたことを判別し、その後、携帯電話１０に対して液晶時計の液晶表示部２０２に表示される文字盤等のデザイン編集やその他の設定を行なうためのプログラム（以下「編集プログラム」という。）を送信する（ステップＳ５６）。
【００３２】
携帯電話１０は、コンテンツ配信サーバー３０より送信された編集プログラムを受信し（ステップＳ５７）、その後、その編集プログラムを記憶部１０４に保存する。
【００３３】
その後、利用者１１は、携帯電話の記憶部１０４に保存した編集プログラムを起動し（ステップＳ５８）、この編集プログラムの編集機能や設定機能を用いて液晶時計の液晶表示部２０２に表示する文字盤部の背景デザインや背景画像等の編集・作成や、時刻等のアナログ又は／及びデジタル表示の設定や、表示項目（年・月・日・時間・分・秒・曜日等）の設定や、文字色等の設定や、アラーム音（メロディーや音声等）の編集・作成等を行なう（ステップＳ５９）。
【００３４】
この背景デザインや背景画像等の編集・作成の際に、予め編集プログラムの中に組み込まれたサンプルデザイン・サンプル画像を用いて文字盤部の編集・作成を行なっても良いし、携帯電話１０のカメラ機能を用いて撮影し、予め携帯電話の記憶部１０４に保存された写真やビデオ等の画像データを液晶時計２０の文字盤部の編集・作成に利用しても良い。
【００３５】
また、時刻等のアナログ又は／及びデジタル表示の設定では、液晶時計２０の文字盤部に▲１▼時刻等をアナログ表示する、▲２▼時刻等をデジタル表示する、▲３▼時刻等をアナログ・デジタルの両方で表示する、のいずれかを設定することができる。
【００３６】
また、表示項目（年・月・日・時間・分・秒・曜日等）の設定では、西暦・和暦・月・日・時間・分・秒・曜日等の表示項目の中から、利用者１１が液晶時計２０の文字盤部に表示したい項目を任意に選択（複数選択可能）し、設定することができる。
【００３７】
また、文字色等の設定では、液晶時計２０の文字盤部に表示する文字の色等の設定を行なうことができる。
【００３８】
また、アラーム音（メロディーや音声等）の編集・作成の際に、予め編集プログラムの中に組み込まれたサンプルメロディー・サンプル音声を用いてアラーム音の編集・作成を行なっても良いし、携帯電話１０の作曲機能を用いて作曲し、又は、携帯電話のマイク１０７から録音し、予め携帯電話の記憶部１０４に保存されたオリジナルメロディーや音声等のデータをアラーム音の編集・作成に利用しても良い。
【００３９】
次に、編集プログラムを用いて編集・作成したデザイン・音声・設定等に関するデータを携帯電話１０から液晶時計２０に対して赤外線データ送信可能なデータ形式に変換するデータ変換処理を行なう（ステップＳ６０）。
【００４０】
このデータ変換処理では、携帯電話の記憶部１０４に保存・蓄積された前記編集プログラムを用いて編集・作成したデザイン・音声・設定等に関するデータが、通常バイナリーデータの一種であるＪＰＥＧ（ｊｏｉｎｔ  ｐｈｏｔｏｇｒａｐｈｉｃ  ｅｘｐｅｒｔｓ  ｇｒｏｕｐ）形式で保存されているが、このＪＰＥＧ形式で保存されたデータを赤外線データ送信可能なテキストデータに変換する処理が行われる。
【００４１】
携帯電話の記憶部１０４に保存・蓄積された前記編集プログラムを用いて編集・作成したデザイン・音声・設定等に関するデータの種類としては、前記ＪＰＥＧ形式の他に、ビットマップ・ディスプレイ（ｂｉｔ−ｍａｐｐｅｄ  ｄｉｓｐｌａｙ）形式、ＰＮＧ（ｐｏｒｔａｂｌｅ  ｎｅｔｗｏｒｋ  ｇｒａｐｈｉｃｓ）形式、ＭＰＥＧ（ｍｏｖｉｎｇ  ｐｉｃｔｕｒｅ  ｅｘｐｅｒｔｓ  ｇｒｏｕｐ）形式等で保存されている場合があるが、これらのデータ形式（バイナリーデータ）の場合にも、ＪＰＥＧ形式のデータの変換と同様に、バイナリーデータからテキストデータへのデータ変換処理を行なう。
【００４２】
次に、利用者１１は、データ変換処理がなされたデータを携帯電話１０からテキストデータの形式で赤外線データ通信により、液晶時計２０へ送信する（ステップＳ６１）。
【００４３】
携帯電話１０において、ステップＳ６１のデータ送信を行なうデータの選択処理が行なわれた際に、携帯電話１０は、先ず、ステップＳ６１のデータ送信を行なうデータの選択処理が行なわれたことを判断し、その選択処理がなされたデータをバイナリーデータからテキストデータへの変換を行なうデータ変換処理（ステップＳ６０）を実行し、データ変換処理終了後、直ちに、変換処理したデータを赤外線データ通信により、液晶時計２０へ送信する（ステップＳ６１）構成を用いても良い。
【００４４】
次に、液晶時計２０は、携帯電話１０より送信されたデータを赤外線受信部２０５により受信し（ステップＳ６２）、受信したデータを記憶部２０３に保存する。そして、記憶部２０３に保存したデータをデータ再変換処理部２０８において、データ形式を再変換するデータ再変換処理を行なう（ステップＳ６３）。
【００４５】
このステップＳ６１の赤外線データ通信によるデータの送信と、ステップＳ６２の赤外線データ通信によるデータの受信とは、ＩｒＭＣ（ＩｒＤＡ  Ｉｎｆｒａｒｅｄ  Ｍｏｂｉｌｅ  Ｃｏｍｍｕｎｉｃａｔｉｏｎ）というデータ転送プロトコルを使って行なわれる。ＩｒＭＣは、ＩｒＤＡ（Ｉｎｆｒａｒｅｄ  Ｄａｔａ  Ａｓｓｏｃｉａｔｉｏｎ）で規定される各種プロトコルのひとつで、汎用的なファイル転送機能を提供するものである。
【００４６】
ステップＳ６１とステップＳ６２において用いられるデータ転送プロトコルは、前記ＩｒＭＣに限らず、ステップＳ６１とステップＳ６２のデータ送受信を実現可能なプロトコルであれば、ＩｒＷＷ等の他の規格を用いても良い。
【００４７】
また、ステップＳ６３のデータ再変換処理は、先ず、赤外線データ通信により受信し、記憶部２０３に保存したテキストデータのもともとのデータ形式を判別する。そして、この判別によりもともとのデータ形式がバイナリーデータ（ＪＰＥＧ形式、ビットマップ・ディスプレイ形式、ＰＮＧ形式、ＭＰＥＧ形式等）であると判別された場合には、このデータをテキストデータからもともとのデータ形式のバイナリーデータへ変換（再変換）処理するものである。
【００４８】
そして、このデータ再変換処理されたデータを記憶部２０３へ保存・蓄積する。
【００４９】
その後、利用者１１が、この液晶時計の入力部２０４の操作により記憶部２０３に保存されたデータ再変換処理されたデータを液晶表示部２０２へ表示するための設定がなされると、このデータ再変換処理されたデータが液晶表示部２０２に表示処理される（ステップＳ６４）。
【００５０】
また、ステップＳ６３のデータ再変換処理の後に、再変換処理したデータを記憶部２０３に保存し、保存したデータを直ちに液晶表示部２０２に表示するデータ表示処理（ステップＳ６４）が行われる構成を用いても良い。
【００５１】
また、液晶時計の記憶部２０３に保存する前記データ再変換処理したデータは、１つであっても良いが、利用者の楽しみを増加させる目的で、複数個（好ましくは、３個、または、それ以上）保存することが可能な構成にするのが望ましい。
【００５２】
且つ、それらのデータ（液晶時計の記憶部２０３に保存した複数のデータ再変換処理したデータ）を利用者１１の指定により変更し液晶表示部２０２に表示する表示デザインを変更する表示デザイン変更手段を備えるのが望ましい。
【００５３】
更に、編集プログラムのその他の設定の中で、それらのデータ（液晶時計の記憶部２０３に保存した複数のデータ再変換処理したデータ）を時間帯等により指定し、液晶表示部２０２に表示させる画像を変更させる設定（例えば、０：００〜７：５９には画像Ａを表示し、８：００〜１５：５９には画像Ｂを表示し、１６：００〜２３：５９には画像Ｃを表示する等）を行ない、液晶表示部に違った画像を表示させても良い。
【００５４】
更に、編集プログラムのその他の設定の中で、それらのデータ（液晶時計の記憶部２０３に保存した複数のデータ再変換処理したデータ）の中の２つ以上の画像を同時に液晶表示部２０２に表示させる設定（例えば、表示部の上部（１／２部分）に画像Ａを表示し、表示部の左下部に画像Ｂを表示し、表示部の右下部に画像Ｃを表示する等）を行ない、液晶表示部に違った画像を同時に分割表示させても良い。
【００５５】
図７、図８は、液晶時計の液晶表示部２０２に表示される画面（デザイン）の一例を示したイメージ図である。図７は、利用者１１が、携帯電話１０にダウンロードした編集プログラムを用いて、自携帯電話のカメラ１０９で撮影したペット（犬）の写真画像を背景に用いたデジタル時計の画面（デザイン）であり、液晶表示部２０２の上部に上から西暦・月日・時刻（時間と分）の順番でそれぞれの情報（西暦・月日・時刻）を表示するよう設定したものである。また、図８は、利用者１１が、携帯電話１０にダウンロードした編集プログラムを用いて、自携帯電話のカメラ１０９で撮影した山（富士山）の風景写真画像を背景に用いたアナログ時計の画面（デザイン）であり、液晶表示部２０２に時刻（時間と分と秒）を短針・長針・秒針で表示し、更に、「１２」、「６」、「９」の文字盤表示と３時の位置に日付（日のみ）を表示するよう設定したものである。
【００５６】
＜データ編集（ステップＳ５９）の具体的な説明＞
次に、携帯電話１０において行なわれるデータ編集（ステップＳ５９）の流れに関して以下に具体的に説明する。
【００５７】
先ず、利用者１１は、携帯電話の入力部１０２を操作し、記憶部１０４に保存したコンテンツ配信サーバー３０より送信された編集プログラムを起動する（ステップＳ５８）。編集プログラムが起動すると、携帯電話の表示部１０５に、背景の編集・アナログ／デジタルの選択・表示項目の設定・アラーム音の編集・その他の設定のいずれを行なうかを選択するための各メニュー（メニューボタン）と、設定終了ボタン・赤外線データ送信ボタンとを表示したメニュー画面が表示される。
【００５８】
ここで、携帯電話の表示部１０５に各メニューを表示するのと同時に、スピーカー１０６から「表示されたいずれかのメニューを選択してください。」等の音声案内が流れるように音声処理を行なっても良い。
【００５９】
利用者１１が、メニュー画面の中から背景の編集を選択すると、編集プログラムは、液晶時計２０の文字盤部に表示する背景デザインに、予めプログラムに内蔵されたサンプル画像・サンプルデザインを使用するか、若しくは、携帯電話の記憶部１０４に保存された自携帯電話のカメラにより撮影した写真やビデオ等の画像データやオリジナルデザイン等を使用するかの選択をするための選択ボタンを備える背景デザイン保存元選択画面を表示する。
【００６０】
利用者１１が、背景デザイン保存元選択画面の中から携帯電話の記憶部１０４に保存された自携帯電話のカメラにより撮影した写真やビデオ等の画像データやオリジナルデザイン等を使用する旨を選択すると、編集プログラムは、携帯電話の記憶部１０４の中の画像データが保存されたフォルダー（画像フォルダー）のデータを識別することが可能な情報であるファイル名等を一覧表の形式で表示部１０５に表示する。
【００６１】
利用者１１が、画像フォルダーのファイル名一覧の中からいずれかのファイルを選択すると、編集プログラムは、利用者１１により選択されたファイルに記憶・保存された画像データを表示部１０５に表示すると共に、選択した画像データが間違いないかの確認をするための選択画像確認ボタンを表示する。
【００６２】
そして、編集プログラムは、利用者１１により選択画像確認ボタンが押されたと判別した場合には、その画像データを記憶し、前記メニュー画面を再度表示する。
【００６３】
利用者１１が、前記背景デザイン保存元選択画面で予めプログラムに内蔵されたサンプル画像・サンプルデザインを使用する旨の選択をすると、編集プログラムは、携帯電話の表示部１０５にそのサンプル画像・サンプルデザインを１件ずつ、または、数件ずつ表示する。
【００６４】
利用者１１が、そのサンプル画像・サンプルデザインの中からいずれかの画像・デザインを選択すると、編集プログラムは、利用者１１より選択された画像・デザインに関するデータを表示部１０５に表示すると共に、選択した画像・デザインが間違いないかの確認をするための選択画像・デザイン確認ボタンを表示する。
【００６５】
そして、編集プログラムは、利用者１１により選択画像・デザイン確認ボタンが押されたと判別した場合には、その画像・デザインに関するデータを記憶し、前記メニュー画面を再度表示する。
【００６６】
次に、利用者１１が、メニュー画面の中からアナログ／デジタルの選択を選択すると、編集プログラムは、液晶時計２０の文字盤部に表示する時刻の表示を▲１▼アナログ表示にするか、▲２▼デジタル表示にするか、▲３▼アナログとデジタルの両方で表示するかの選択をするための選択ボタンを備えるアナログ／デジタル選択画面を表示する。
【００６７】
利用者１１が、このアナログ／デジタル選択画面の中からいずれかの表示方法を選択すると、編集プログラムは、利用者１１より選択された表示方法（例えば、デジタル表示）により表示された時刻と、利用者により選択された背景に用いる画像データとを判別し、それらのデータを合成し、表示部１０５に表示すると共に、選択した内容に間違いないかの確認をするための選択内容確認ボタンを表示する。
【００６８】
そして、編集プログラムは、利用者１１により選択内容確認ボタンが押されたと判別した場合には、その選択内容に関するデータを記憶し、前記メニュー画面を再度表示する。
【００６９】
次に、利用者１１が、メニュー画面の中から表示項目の設定を選択すると、編集プログラムは、液晶時計２０の文字盤部に何を表示するかの選択をするための選択ボタンを備える表示項目一覧画面を表示する。表示項目一覧画面には、西暦・和暦・月・日・時間・分・秒・曜日等の各表示項目が表示されており、利用者１１が、この表示項目一覧画面の中からいずれか１つ、または、２つ以上（複数）の表示項目を適宜選択すると、編集プログラムは、利用者１１より選択された表示項目（例えば、月、日、時間、分）と、利用者により選択された背景に用いる画像データと、時刻の表示方法とを判別し、それらのデータを合成し、表示部１０５に表示すると共に、選択した内容に間違いないかの確認をするための選択内容確認ボタンを表示する。
【００７０】
そして、編集プログラムは、利用者１１により選択内容確認ボタンが押されたと判別した場合には、その選択内容に関するデータを記憶し、前記メニュー画面を再度表示する。
【００７１】
次に、利用者１１が、メニュー画面の中からアラーム音の編集を選択すると、編集プログラムは、液晶時計２０のアラーム設定時に出力するアラーム音に、予めプログラムに内蔵されたサンプルメロディーを使用するか、若しくは、オリジナルのメロディーを作曲し、使用するかの選択をするための選択ボタンを備えるアラーム音使用／作曲選択画面を表示する。
【００７２】
利用者１１が、アラーム音使用／作曲選択画面の中からサンプルメロディーの使用を選択すると、編集プログラムは、予め内蔵されたサンプルメロディー一覧画面を表示し、利用者１１が、その中からいずれかのメロディーを選択すると、編集プログラムは、そのメロディーを再生し、メロディーの再生終了後、選択したメロディーで良いかの確認をするための選択メロディー確認ボタンを表示部１０５に表示する。
【００７３】
そして、編集プログラムは、利用者１１により選択メロディー確認ボタンが押されたと判別した場合には、そのメロディーに関するデータを記憶し、前記メニュー画面を再度表示する。
【００７４】
前記アラーム音の編集では、液晶時計２０のアラーム設定時に出力するアラーム音として、予め編集プログラムに内蔵されたサンプルメロディーを使用するか、オリジナルのメロディーを作曲し、使用するかの選択以外に、携帯電話のマイク１０７により録音し、記憶部１０４に保存された音声データ（肉声や物音等）をアラーム音として利用することができる構成を用いても良い。
【００７５】
次に、利用者１１が、メニュー画面の中からその他の設定を選択すると、編集プログラムは、液晶時計２０の文字盤部に表示する文字データの文字色や文字サイズや書体や表示場所の設定をするための各種選択ボタンを備えるその他の設定画面を表示する。
【００７６】
利用者１１は、このその他の設定画面上で前記の各種設定を行なうことができ、編集プログラムは、利用者１１より設定された情報を記憶し、前記メニュー画面を再度表示する。
【００７７】
そして、利用者１１が、背景（画像・デザイン）の編集、表示方法（アナログ／デジタル）の選択、表示項目の設定、アラーム音の編集、その他の設定等のうち、利用者１１が希望する設定、または、液晶時計２０の動作に最低限必要な設定を終了した後に、メニュー画面の中から赤外線データ送信ボタンを選択すると、編集プログラムは、利用者１１により編集され、保存されたデータを赤外線データ送信可能なデータ形式であるテキストデータに変換するデータ変換処理を行ない（ステップＳ６０）、データ変換処理終了後、携帯電話の表示部１０５に「液晶時計に対し赤外線データを送信しますか？」等の赤外線データ送信の意志確認のためのメッセージを表示する。
【００７８】
その後、編集プログラムは、利用者１１による携帯電話の入力部１０２の操作により赤外線データ送信の意志が確認できた場合、赤外線送信部１１０より液晶時計の赤外線受信部２０５に対してデータ変換処理終了後のデータを送信する。
【００７９】
この赤外線データ送信時には、データを受信する液晶時計２０が赤外線データ受信可能な状態であることが必須条件となる。また、赤外線データ送信を行なう携帯電話の赤外線送信部１１０と、赤外線データ受信を行なう液晶時計の赤外線受信部２０５は、対面した位置に静止させ、且つ、その距離は略１０ｃｍであることが望ましい。
【００８０】
なお、液晶時計の赤外線受信部２０５は、常時、赤外線データの受信が可能な状態であることが望ましい。
【００８１】
また、赤外線データ通信の際に、正常に、データの受信が完了した場合には、液晶時計の液晶表示部２０２に「正常に受信完了いたしました。」等のメッセージを表示する受信成功画面を表示させ、データの取り込みに失敗した場合には、液晶時計の液晶表示部２０２に「データ受信に失敗いたしました。」等のメッセージを表示する受信失敗画面を表示させる構成を用いるのが良い。
【００８２】
前記背景（画像・デザイン）の編集方法、前記表示方法（アナログ／デジタル）の選択方法、前記表示項目の設定方法、前記アラーム音の編集方法、その他の設定方法は、あくまで例示でありこれに限定されるものではなく、自由に設定可能であることは勿論である。
【００８３】
また、編集プログラムには、利用者１１により、背景デザイン保存元選択画面の中から携帯電話の記憶部１０４に保存された自携帯電話のカメラにより撮影した写真やビデオ等の画像データやオリジナルデザイン等を使用する旨が選択され、その後、画像フォルダーのファイル名一覧の中からいずれかのファイルが選択された際に、携帯電話の表示部１０５に、利用者１１により選択されたファイルに記憶・保存された画像データ表示する機能の他に、表示した画像データを携帯電話の入力部１０２の操作によりワンタッチで表示画像を左右方向に略９０度回転し、表示することができる回転表示機能が装備されている。更に、この表示された画像を拡大したり、縮小したりするための機能が装備されている。これらの機能を利用し、利用者は、好みの画像を容易に編集・作成することが可能となる。特に、カメラ付携帯電話機で撮影された画像は、縦、横、斜め等様々な角度から撮影されていることが考えられ、これらの画像を修正（編集）することができればより利用者の楽しみが増すこととなる。
【００８４】
従来の携帯電話を用いたダウンロードのルールとしては、ダウンロードを行なう画像やデザイン等の著作権及び／又は肖像権の保護の目的で、自携帯電話のカメラで撮影した画像データや自己が作成したオリジナルメロディーデータを携帯電話から各種送信方法を用いて送信することは可能であるが、サーバーや他の携帯電話からダウンロードした画像データやメロディーデータに関しては、それらのデータ保存時にフラグが立ち、それらのデータの転送（再転送）を禁止する設定がなされているため、従来ルール適用環境において本液晶時計のダウンロードシステムを用いる場合には、コンテンツ配信サーバー３０から携帯電話１０へ編集プログラムをダウンロードし、記憶部１０４に保存する際に、その編集プログラムにフラグが立たないような設定を行ない、その後、赤外線データ通信により液晶時計２０へデータを送信することが可能な状態とする。または、編集プログラムの保存の際にフラグが立っても、その編集プログラムを用いて編集・作成したデータ（編集プログラムに予め組み込まれたサンプル画像等を含む。）を赤外線データ通信により液晶時計２０へデータを送信することが可能な状態とする。または、他の方法により赤外線データ通信により液晶時計２０へデータを送信することが可能な状態とする。
【００８５】
また、携帯電話１０から液晶時計２０へのデータ送信を赤外線データ通信以外の方法により実現しても良い。（例えば、▲１▼携帯電話１０から公衆回線網等のネットワークを介してインターネット上に設置されたサーバーに接続し、携帯電話１０で編集したデータをファイル転送機能や電子メール送信機能を用いて送信し、一旦、前記サーバーの記憶部に保存させて、その後、液晶時計２０よりそのサーバーへアクセスし、前記データをダウンロードする方法や、▲２▼データ送信ケーブルを用いて携帯電話１０と液晶時計２０を接続し、前記データを送信する方法や、▲３▼携帯電話１０のデータを記憶した着脱可能なメモリースティックやメモリーボード等の記憶装置を液晶時計２０へ接続し、そこに記憶されたデータの一部又は全部をコピーする方法等が考えられる。）
【００８６】
更に、コンテンツ配信サーバー３０にインターネットを介して接続した携帯電話１０が、そのコンテンツ配信サーバーの記憶部に保存された編集プログラムをダウンロードせずに、そのコンテンツ配信サーバーにインターネットを介して接続した状態で、コンテンツ配信サーバーの記憶部に保存された編集プログラムを起動し、その編集プログラムを用いて、好みの画像やレイアウト等を編集し、その編集によって作成した画像やレイアウトに関するデータをダウンロードし、そのダウンロードしたデータを赤外線データ通信により液晶時計２０へ送信するという構成を用いても良い。
【００８７】
また、携帯電話１０等の携帯端末の代わりに、携帯端末と同等（又は、同等以上）の機能を有するパーソナルコンピュータ等の端末装置を用いても良い。
【００８８】
以上説明した、本実施例に係る液晶時計のダウンロードシステムによれば、自己の撮影した映像や好みの画像（ペットや恋人等の写真や携帯電話の待受け画面と同じ画像等）や様々なデザイン（各種マークや幾何学模様等）等を液晶時計の液晶表示部に表示することが可能となり、利用者は、バリエーション豊かなオリジナルの文字盤デザイン等を携帯端末上で簡単に編集・作成し、そのデータを赤外線データ通信で液晶時計に送信し、その液晶時計の液晶表示部に表示させて楽しむことができる。また、同時に、好みのメロディーを携帯端末上で編集・作成し、そのメロディーを液晶時計のアラーム音等に用いることができる。
【００８９】
【発明の効果】
以上説明したように本発明によれば、自己の撮影した映像や好みの画像や様々なデザイン等を液晶時計の液晶表示部に表示することが可能となり、利用者は、バリエーション豊かなオリジナルの文字盤デザイン等を携帯端末上で簡単に編集・作成し、そのデータを赤外線データ通信で液晶時計に送信し、その液晶時計の液晶表示部に表示させて楽しむことができる。また、データ編集・データ送信の容易性から、子供やお年寄り等広い範囲において利用されることが考えられる。
【図面の簡単な説明】
【図１】本実施の形態の液晶時計のダウンロードシステムのイメージ図である。
【図２】カメラ機能を有する携帯電話の構成の概略ブロック図である。
【図３】液晶時計の構成の概略ブロック図である。
【図４】液晶時計の記憶部に構築された、日時・デザイン・メロディー・設定等のデータを保存・蓄積したデータベース（ＤＢ）を示す図である。
【図５】デザインデータベースの内訳を示す図である。
【図６】本発明に係る実施の形態の液晶時計のダウンロードシステムの主要な流れを示した図である。
【図７】液晶時計の液晶表示部に表示される画面（デザイン）の一例を示したイメージ図である。
【図８】液晶時計の液晶表示部に表示される画面（デザイン）の一例を示したイメージ図である。
【符号の説明】
１０  携帯電話（携帯端末）
１１  利用者
１０１  制御部
１０２  入力部
１０３  通信部
１０４  記憶部
１０５  表示部
１０６  スピーカー
１０７  マイク
１０８  バッテリー
１０９  カメラ
１１０  赤外線送信部
２０  液晶時計
２０１  制御部
２０２  液晶表示部
２０３  記憶部
２０４  入力部
２０５  赤外線受信部
２０６  スピーカー
２０７  バッテリー
２０８  データ再変換処理部
３０  コンテンツ配信サーバー
【図１】
2004226279.tif 000003
【図２】
2004226279.tif 000004
【図３】
2004226279.tif 000005
【図４】
2004226279.tif 000006
【図５】
2004226279.tif 000007
【図６】
2004226279.tif 000008
【図７】
2004226279.tif 000009
【図８】
2004226279.tif 000010